(57)【要約】  ある観点によれば、本発明はマルチ形式のＵＥの製造方法を提供する。ある実施形態によれば、この方法は、複数のＲＡＴをサポートするように前記ＵＥを構成し、前記複数のＲＡＴの各々は、ネットワークノードによって前記ＵＥが同時観測を指示され得る所定の最大レイヤ数と関連付けられ、前記ネットワークノードにケーパビリティ情報を送信するように前記ＵＥを構成し、前記ケーパビリティ情報は前記ＵＥによってサポートされる複数のＲＡＴを示すＲＡＴケーパビリティ情報を含み、前記複数のＲＡＴのうちの１のＲＡＴに関してＸレイヤを上回らずに同時観測するようにＵＥを構成し、ここでＸは前記ＲＡＴに関しての所定の最大レイヤ数よりも小さいことを含む。【選択図】図４
2011530949.tif 000002
【特許請求の範囲】
【請求項１】
基地局（１０４、１０６、１０８、１１０）によって行われる方法であって：
ＵＥ（１０２）から、前記ＵＥによりサポートされるＲＡＴセットを示すＲＡＴケーパビリティ情報（３０１、３０２、３０４、３０６、３０８）を含むケーパビリティ情報（２０２）を受信し、ここで、各ＲＡＴは前記ＵＥが観測を指示され得る所定の最大レイヤ数が関連付けられ、前記所定の最大レイヤ数は標準化された値であり、
前記ＲＡＴセットに含まれる少なくとも１のＲＡＴについて、
前記ＵＥに観測を指示する前記ＲＡＴに関してのレイヤ数を決定し、ここで、レイヤの決定数は前記ＲＡＴに関しての前記所定の最大レイヤ数より小さく、前記決定の少なくとも一部は、前記受信されたケーパビリティ情報の少なくとも一部に基づき、
前記決定のステップの後に、前記ＵＥにＲＡＴレイヤ観測情報（２０４）を送信し、ここで、前記ＲＡＴレイヤ観測情報は前記ＵＥが前記ＲＡＴにおいて観測すべき前記レイヤの決定数を示す、方法。
【請求項２】
複数のＲＡＴセットの各々について、前記セットに含まれる少なくとも１のＲＡＴに数を関連付ける設定情報（８１０）を記憶するステップをさらに含み、
前記数は前記ＲＡＴに関してのレイヤ数を示し、
前記決定のステップは、前記設定情報にアクセスし、前記設定情報を用いて、前記ＵＥに観測を指示する前記ＲＡＴに関してのレイヤ数を決定する、請求項１に記載の方法。
【請求項３】
前記設定情報を用いるステップは、前記設定情報において、前記ＲＡＴケーパビリティ情報の示すＲＡＴセットに合致するＲＡＴセットを探すことを含む、請求項２に記載の方法。
【請求項４】
前記ケーパビリティ情報は、前記ＵＥが前記ＲＡＴセットに含まれる少なくとも１のＲＡＴに関しての所定の最大レイヤ数よりも少ない観測を行うように構成されたことを示すＲＡＴレイヤケーパビリティ情報（３０３、３０５、３０７、３０９）をさらに含む、請求項１に記載の方法。
【請求項５】
前記ＲＡＴレイヤケーパビリティ情報（３０３）は、前記ＲＡＴセットに含まれる各ＲＡＴについて、前記ＲＡＴに関連付けられた数を含み、前記数は、最大レイヤ観測ケーパビリティを示す、請求項４に記載の方法。
【請求項６】
前記ＲＡＴレイヤケーパビリティ情報（３０３、３０５）は、前記ＲＡＴセットに含まれる少なくとも１のＲＡＴについて、前記ＲＡＴに関連付けられた数を含み、前記数は、最大レイヤ観測ケーパビリティを示し、前記ＲＡＴに関しての所定の最大数よりも小さい、請求項４に記載の方法。
【請求項７】
前記ＲＡＴレイヤケーパビリティ情報（３０７）は、前記ＲＡＴセットに含まれる各ＲＡＴについて１ビットを有し、前記ビットの値は、前記ＲＡＴに関しての所定の最大レイヤ数をＵＥが観測するように構成されたか否かを示す、請求項４に記載の方法。
【請求項８】
基地局（１０４、１０６、１０８、１１０）であって：
ＵＥから、前記ＵＥによりサポートされるＲＡＴセットを示すＲＡＴケーパビリティ情報（３０１、３０２、３０４、３０６、３０８）を含むケーパビリティ情報（２０２）を受信する受信部（８０４）を有し、ここで、各ＲＡＴは前記ＵＥが観測を指示され得る所定の最大レイヤ数が関連付けられ、
ＵＥに観測を指示するあるＲＡＴに関してのレイヤ数を決定するＲＡＴレイヤ決定モジュール（８０８）を有し、ここで、前記レイヤの決定数は、（ａ）前記ＲＡＴに関しての所定の最大レイヤ数に等しい、または、（ｂ）当該ＲＡＴに関しての所定の最大レイヤ数よりも小さく、前記ＲＡＴレイヤ決定モジュールは、前記決定を少なくとも一部は前記受信されたケーパビリティ情報の少なくとも一部に基づいて行うように構成され、
前記ＵＥにＲＡＴレイヤ観測情報（２０４）を送信する送信部（８０４）を有し、ここで、前記ＲＡＴレイヤ観測情報は前記ＵＥが観測すべき前記ＲＡＴに関しての前記レイヤ数を示す、基地局。
【請求項９】
複数のＲＡＴセットの各々について、前記セットに含まれる少なくとも１のＲＡＴに数を関連付ける設定情報（８１０）を記憶するデータストレージデバイス（８０６）をさらに備え、
前記ＲＡＴレイヤ決定モジュールは、前記ＵＥに観測を指示する前記ＲＡＴに関してのレイヤ数を決定するために、前記設定情報にアクセスし、前記設定情報を用いることにより、前記レイヤ数を決定するように構成される、請求項８に記載の基地局。
【請求項１０】
前記ＲＡＴレイヤ決定モジュールは、前記設定情報において、前記ＲＡＴケーパビリティ情報の示すＲＡＴセットに合致するＲＡＴセットを探すことにより前記設定情報を用いるよう構成される、請求項９に記載の基地局。
【請求項１１】
前記ケーパビリティ情報は、前記ＵＥが前記複数のＲＡＴに含まれる少なくとも１のＲＡＴに関しての所定の最大レイヤ数よりも少ない観測を行うように構成されたことを示すＲＡＴレイヤケーパビリティ情報をさらに含む、請求項８に記載の基地局。
【請求項１２】
前記ＲＡＴレイヤケーパビリティ情報は、前記複数のＲＡＴに含まれる各ＲＡＴについて、前記ＲＡＴに関連付けられた数を含み、前記数は、最大レイヤ観測ケーパビリティを示す、請求項１１に記載の基地局。
【請求項１３】
前記ＲＡＴレイヤケーパビリティ情報は、前記複数のＲＡＴに含まれる少なくとも１のＲＡＴについて、前記ＲＡＴに関連付けられた数を含み、前記数は、最大レイヤ観測ケーパビリティを示し、前記ＲＡＴに関しての所定の最大数よりも小さい、請求項１１に記載の基地局。
【請求項１４】
前記ＲＡＴレイヤケーパビリティ情報は、前記複数のＲＡＴに含まれる各ＲＡＴについて１ビットを有し、前記ビットの値は、前記ＲＡＴに関しての所定の最大レイヤ数をＵＥが観測するように構成されたか否かを示す、請求項１１に記載の基地局。
【請求項１５】
ＵＥの無線アクセス技術ケーパビリティをネットワークノード（１０４、１０６、１０８、１１０）に通知するための前記ＵＥによって実行される方法であって：
前記ネットワークノードにケーパビリティ情報を送信するかを決定し、
前記ネットワークノードにケーパビリティ情報を送信するという前記決定に応じ、ケーパビリティ情報（２０２）を前記ネットワークノードに送信し、送信される前記ケーパビリティ情報は、前記ＵＥによりサポートされる複数のＲＡＴを示すＲＡＴケーパビリティ情報を含み、前記複数のＲＡＴの各々は前記ＵＥが観測を指示され得る所定の最大レイヤ数が関連付けられ、
前記ケーパビリティ情報は、前記ＵＥが前記複数のＲＡＴに含まれる少なくとも１のＲＡＴに関しての所定の最大レイヤ数よりも少ない観測を行うように構成されたことを示すＲＡＴレイヤケーパビリティ情報をさらに含むことを特徴とする、方法。
【請求項１６】
前記ＲＡＴレイヤケーパビリティ情報は、前記複数のＲＡＴに含まれる各ＲＡＴについて、前記ＲＡＴに関連付けられた数を含み、前記数は、最大レイヤ観測ケーパビリティを示す、請求項１５に記載の方法。
【請求項１７】
前記ＲＡＴレイヤケーパビリティ情報は、前記複数のＲＡＴに含まれる少なくとも１のＲＡＴについて、前記ＲＡＴに関連付けられた数を含み、前記数は、最大レイヤ観測ケーパビリティを示し、前記ＲＡＴに関しての所定の最大数よりも小さい、請求項１５に記載の方法。
【請求項１８】
前記ＲＡＴレイヤケーパビリティ情報は、前記複数のＲＡＴに含まれる各ＲＡＴについて１ビットを有し、前記ビットの値は、前記ＲＡＴに関しての所定の最大レイヤ数をＵＥが観測するように構成されたか否かを示す、請求項１５に記載の方法。
【請求項１９】
前記ネットワークノードからＲＡＴレイヤ観測情報を受信し、前記ＲＡＴレイヤ観測情報は前記ＵＥが特定のＲＡＴにおいて観測すべきレイヤ数を示す情報からなり、
前記ＲＡＴレイヤ観測情報の受信に応じ、前記特定のＲＡＴにおいて前記レイヤ数を上回らずに観測し、前記レイヤ数は前記ＲＡＴに関しての所定の最大レイヤ数より小さい、請求項１５〜１８のいずれか一項に記載の方法。
【請求項２０】
前記特定のＲＡＴにおいて前記レイヤを観測するステップは、前記レイヤに属する新たなセルを識別することを含む、請求項１９に記載の方法。
【請求項２１】
前記特定のＲＡＴにおいて前記レイヤを観測するステップは、
前記識別された新たなセルで１または２以上のダウンリンク測定を行い、
前記識別された新たなセルに関しての１または２以上のイベントを評価することをさらに含む、請求項２０に記載の方法。
【請求項２２】
ＵＥ（１０２）であって：
ネットワークノード（１０４、１０６、１０８、１１０）から送信された情報を受信する受信部（９０４）と、
ケーパビリティ情報を含むメッセージ（２０２）を生成するケーパビリティ情報モジュール（９０８）を有し、前記ケーパビリティ情報は、前記ＵＥによりサポートされる複数のＲＡＴを示すＲＡＴケーパビリティ情報（３０１、３０２、３０４、３０６、３０８）を含み、前記複数のＲＡＴの各々は、前記ＵＥが前記ネットワークノードから観測を指示され得る所定の最大レイヤ数が関連付けられ、
前記ネットワークノードに前記メッセージを送信する送信部を有し、
前記ケーパビリティ情報は、前記ＵＥが前記複数のＲＡＴに含まれる少なくとも１のＲＡＴに関しての所定の最大レイヤ数よりも少ない観測を行うように構成されたことを示すＲＡＴレイヤケーパビリティ情報（３０３、３０５、３０７、３０９）をさらに含むことを特徴とする、ＵＥ。
【請求項２３】
前記ＲＡＴレイヤケーパビリティ情報は、前記複数のＲＡＴに含まれる各ＲＡＴについて、前記ＲＡＴに関連付けられた数を含み、前記数は、最大レイヤ観測ケーパビリティを示す、請求項２２に記載のＵＥ。
【請求項２４】
前記ＲＡＴレイヤケーパビリティ情報は、前記複数のＲＡＴに含まれる少なくとも１のＲＡＴについて、前記ＲＡＴに関連付けられた数を含み、前記数は、最大レイヤ観測ケーパビリティを示し、前記ＲＡＴに関しての所定の最大数よりも小さい、請求項２２に記載のＵＥ。
【請求項２５】
前記ＲＡＴレイヤケーパビリティ情報は、前記複数のＲＡＴに含まれる各ＲＡＴについて１ビットを有し、前記ビットの値は、前記ＲＡＴに関しての所定の最大レイヤ数をＵＥが観測するように構成されたか否かを示す、請求項２２に記載のＵＥ。
【請求項２６】
レイヤであって、前記レイヤに属する新たなセルを識別することにより前記レイヤを観測し、前記識別された新たなセルで１または２以上のダウンリンク測定を行い、および／または、前記識別された新たなセルに関しての１または２以上のイベントを評価するように構成された、請求項２２に記載のＵＥ。
【請求項２７】
マルチ形式（ｍｕｌｔｉ−ｍｏｄａｌ）ＵＥの製造方法であって：
複数のＲＡＴをサポートするように前記ＵＥを構成し、前記複数のＲＡＴの各々は、ネットワークノードによって前記ＵＥが同時観測を指示され得る所定の最大レイヤ数と関連付けられ；
前記ネットワークノードにケーパビリティ情報を送信するように前記ＵＥを構成し、前記ケーパビリティ情報は前記ＵＥによってサポートされる複数のＲＡＴを示すＲＡＴケーパビリティ情報を含み、
前記複数のＲＡＴのうちの１のＲＡＴに関してＸレイヤを上回らずに同時観測するようにＵＥを構成し、ここでＸは前記ＲＡＴに関しての所定の最大レイヤ数よりも小さい、方法。
【請求項２８】
前記ケーパビリティ情報は、前記ＵＥが前記複数のＲＡＴに含まれる少なくとも１のＲＡＴに関しての所定の最大レイヤ数よりも少ない観測を行うように構成されたことを示すＲＡＴレイヤケーパビリティ情報をさらに含む、請求項２７に記載の方法。
【請求項２９】
前記ＲＡＴレイヤケーパビリティ情報は、前記複数のＲＡＴに含まれる各ＲＡＴについて、前記ＲＡＴに関連付けられた数を含み、前記数は、最大レイヤ観測ケーパビリティを示す、請求項２８に記載の方法。
【請求項３０】
前記ＲＡＴレイヤケーパビリティ情報は、前記複数のＲＡＴに含まれる各ＲＡＴについて１ビットを有し、前記ビットの値は、前記ＲＡＴに関しての所定の最大レイヤ数をＵＥが観測するように構成されたか否かを示す、請求項２８に記載の方法。
【請求項３１】
レイヤであって、前記レイヤに属する新たなセルを識別することにより前記レイヤを観測し、前記識別された新たなセルで１または２以上のダウンリンク測定を行い、および／または、前記識別された新たなセルに関しての１または２以上のイベントを評価するように前記ＵＥが構成される、請求項２７に記載の方法。
【発明の詳細な説明】
【技術分野】
【０００１】
本発明は、ユーザ端末（ＵＥ）のモビリティのために利用可能な１または２以上のレイヤを各々有するマルチ無線アクセス技術がある環境における移動通信に関する。
【背景技術】
【０００２】
無線通信技術の発展は、可変的なＲＡＴ（Ｒａｄｉｏ  Ａｃｃｅｓｓ  Ｔｅｃｈｎｏｌｏｇｙ）セットを有する無線通信環境を創出する。例えば、任意の地理的エリアにおいて、以下のＲＡＴが利用可能であり得る：Ｗｉｄｅｂａｎｄ  Ｃｏｄｅ  Ｄｉｖｉｓｉｏｎ  Ｍｕｌｔｉｐｌｅ  Ａｃｃｅｓｓ  （ＷＣＤＭＡ），  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （ＵＴＲＡＮ）  ａｎｄ  Ｅｖｏｌｖｅｄ  ＵＴＲＡＮ  （Ｅ−ＵＴＲＡＮ）．    Ｉｎ  ａｎｏｔｈｅｒ  ｇｅｏｇｒａｐｈｉｃａｌ  ａｒｅａ，  ａ  ｄｉｆｆｅｒｅｎｔ  ｓｅｔ  ｏｆ  ＲＡＴｓ  ｍａｙ  ｂｅ  ａｖａｉｌａｂｌｅ；  ｆｏｒ  ｅｘａｍｐｌｅ，  ｏｎｌｙ  Ｇｌｏｂａｌ  Ｓｙｓｔｅｍ  ｆｏｒ  Ｍｏｂｉｌｅ  ｃｏｍｍｕｎｉｃａｔｉｏｎｓ  （ＧＳＭ）  ｍａｙ  ｂｅ  ａｖａｉｌａｂｌｅ．    Ａ  ｍｏｂｉｌｅ  ｔｅｒｍｉｎａｌ  ｕｓｅｒ  ｗｏｕｌｄ  ｗａｎｔ  ａ  ｍｏｂｉｌｅ  ｔｅｒｍｉｎａｌ  ｃａｐａｂｌｅ  ｏｆ  ｏｐｅｒａｔｉｎｇ  ｉｎ  ｂｏｔｈ  ａｒｅａｓ．    Ｔｈｕｓ，  ｍｏｂｉｌｅ  ｔｅｒｍｉｎａｌ  ｍａｎｕｆａｃｔｕｒｅｒｓ  ｏｆｆｅｒ  ｍｏｂｉｌｅ  ｔｅｒｍｉｎａｌｓ  （ａ．ｋ．ａ．，  ｕｓｅｒ  ｅｑｕｉｐｍｅｎｔｓ  （ＵＥｓ））  ｃａｐａｂｌｅ  ｏｆ  ｏｐｅｒａｔｉｎｇ  ｗｉｔｈ  ｍｕｌｔｉｐｌｅ  ＲＡＴｓ  （ｉ．ｅ．，  ｍｕｌｔｉ−ｍｏｄｅ  ＵＥｓ）。
【０００３】
また、ユーザは地理的エリア内および地理的エリア間でのシームレスなＵＥのモビリティを望んでいる。このため、ＵＥの製造者は、トランスペアレントなモビリティをサポートするためのＲＡＴ相互運用可能の高度なマルチモードＵＥへのさらなる要求に向き合っている。例えば、前段落で議論された無線通信環境を考慮すると、ユーザは、ＧＳＭによりカバーされる地理的エリアにおいて通話を開始し、ＵＥがそのエリアからＥ−ＵＴＲＡＮでカバーされるエリアへ移動する際に完全な通話の連続性を得ることを期待し得る。このため、ＵＥは、通話の進行中に双方のＲＡＴによるチャネルを観測できる必要がある。
【０００４】
幸いにも、しばしばＬＴＥ（Ｌｏｎｇ  Ｔｅｒｍ  Ｅｖｏｌｕｔｉｏｎ）と称されるＥ−ＵＴＲＡＮは、そのようなマルチＲＡＴ接続モードモビリティを提供する。しかし、ＬＴＥは、ＵＥによりサポートされているＲＡＴの数に依らず、ＵＥに、ネットワークから指示により、各ＲＡＴによりサポートされる最大で３レイヤ（すなわち、サービング中でない周波数キャリア）を観測する負荷を課す。ＵＥは各レイヤで、ＲＡＴのタイプに応じ、例えばレイヤごとに４〜６のセルのように多数のセルを観測する必要がある。このため、ＬＴＥは、４つのＲＡＴがある移動通信環境においてパラレルに１２レイヤまで観測するための、例えば４つのＲＡＴで動作可能なマルチモードＵＥ（例えば、ＬＴＥ  ＦＤＤ，  ＬＴＥ  ＴＤＤ，  ＵＴＲＡＮ  ＦＤＤ  ａｎｄ  ＵＴＲＡＮ  ＴＤＤをサポートするマルチモードＵＥ）を必要とする。レイヤごとに５つのセルが観測されると仮定すると、このようなＵＥは全部で６０のセルをパラレルに観測しなくてはならないだろう（すなわち、同じギャップパターンを利用して）。パラレル観測は、ＵＥが全ての要求されたレイヤを１つの周期的ギャップ中に観測することを意味する。ＬＴＥにおいては、２つの異なる周期を有するギャップパターンが定義されている：４０ｍｓごとに現れる６ｍｓギャップ、または８０ｍｓごとに現れる６ｍｓギャップ。これらのうちの１つだけを一度に有効化することができる。観測要求レイヤの増加に適応するための追加的なＲＡＴのサポートによれば、追加的なメモリ、無線およびコンピュータのリソースが必要となるので、このＬＴＥレイヤ観測要求によれば、ＵＥ製造者が、ＵＥによりサポートされる追加ＲＡＴの各々に関して、考え得るコストと利益のトレードオフを比較考量すべきことになる。このため、ネットワークから課されるレイヤ観測要求をＵＥがある程度制御することが望まれる。
【発明の概要】
【０００５】
ある観点によれば、本発明は基地局により行われる方法を提供する。ある実施形態においては、この方法は、以下のステップを含む：（１）ＵＥから、前記ＵＥによりサポートされるＲＡＴセットを示すＲＡＴケーパビリティ情報を含むケーパビリティ情報を受信し、ここで、各ＲＡＴは前記ＵＥが同時観測を指示され得る所定の最大レイヤ数が関連付けられ、前記所定の最大レイヤ数は標準化された値であり；（２）前記ＵＥによりサポートされる前記ＲＡＴセットに含まれる少なくとも１のＲＡＴについて、前記ＵＥに観測を指示するＲＡＴのレイヤ数を決定し、レイヤの決定数は前記ＲＡＴに関しての前記所定の最大レイヤ数より小さく；（３）前記ＵＥにＲＡＴレイヤ観測情報を送信し、前記ＲＡＴレイヤ観測情報は前記ＵＥが前記ＲＡＴにおいて観測すべき前記レイヤの決定数を示す。ある実施形態においては、前記ＵＥに観測を指示する前記ＲＡＴについてのレイヤ数の前記決定の少なくとも一部は、前記受信されたケーパビリティ情報の少なくとも一部に基づく。
【０００６】
ある実施形態においては、前記方法は、複数のＲＡＴセットの各々について、前記セットに含まれる少なくとも１のＲＡＴに数を関連付ける設定情報を記憶するステップをさらに含み、前記数は前記ＲＡＴに関してのレイヤ数を示す。前記決定のステップは、前記設定情報にアクセスし、前記設定情報を用いて、前記ＵＥに観測を指示する前記ＲＡＴに関してのレイヤ数を決定することをさらに含む。
【０００７】
ある実施形態においては、前記設定情報を用いるステップは、前記設定情報において、前記ＲＡＴケーパビリティ情報の示すＲＡＴセットに合致するＲＡＴセットを探すことを含む。
【０００８】
ある実施形態においては、前記ケーパビリティ情報は、前記ＵＥが前記ＲＡＴセットに含まれる少なくとも１のＲＡＴに関しての所定の最大レイヤ数よりも少ない観測を行うように構成されたことを示すＲＡＴレイヤケーパビリティ情報をさらに含む。これらの実施形態において、前記ＲＡＴレイヤケーパビリティ情報は、（１）前記ＲＡＴセットに含まれる各ＲＡＴについて、前記ＲＡＴに関連付けられた数を含み、前記数は、最大レイヤ観測ケーパビリティを示してもよいし；（２）前記ＲＡＴセットに含まれる少なくとも１のＲＡＴについて、前記ＲＡＴに関連付けられた数を含み、前記数は、最大レイヤ観測ケーパビリティを示し、前記ＲＡＴに関しての所定の最大数よりも小さくてもよいし；または（３）前記ＲＡＴセットに含まれる各ＲＡＴについて１ビットを有し、前記ビットの値は、前記ＲＡＴに関しての所定の最大レイヤ数をＵＥが観測するように構成されたか否かを示してもよい。
【０００９】
他の観点によれば、本発明は改良された基地局を提供する。ある実施形態において、この改良された基地局は、（１）ＵＥから、前記ＵＥによりサポートされるＲＡＴセットを示すＲＡＴケーパビリティ情報を含むケーパビリティ情報を受信する受信部を有し、ここで、前記セットに含まれる各ＲＡＴは前記ＵＥが観測を指示され得る所定の最大レイヤ数が関連付けられ；（２）ＵＥに観測を指示するあるＲＡＴに関してのレイヤ数を決定するＲＡＴレイヤ決定モジュールを有し、ここで、前記レイヤの決定数は、（ａ）前記ＲＡＴに関しての所定の最大レイヤ数に等しい、または、（ｂ）当該ＲＡＴに関しての所定の最大レイヤ数よりも小さく、前記ＲＡＴレイヤ決定モジュールは、前記決定を少なくとも一部は前記受信されたケーパビリティ情報の少なくとも一部に基づいて行うように構成され；（３）前記ＵＥにＲＡＴレイヤ観測情報（２０４）を送信する送信部（８０４）を有し、ここで、前記ＲＡＴレイヤ観測情報は前記ＵＥが観測すべき前記ＲＡＴに関しての前記レイヤ数を示す。
【００１０】
ある実施形態において、前記基地局は、複数のＲＡＴセットの各々について、前記セットに含まれる少なくとも１のＲＡＴに数を関連付ける設定情報を記憶するデータストレージデバイスをさらに備え、前記ＲＡＴレイヤ決定モジュールは、前記ＵＥに観測を指示する前記ＲＡＴに関してのレイヤ数を決定するために、前記設定情報にアクセスし、前記設定情報を用いることにより、前記レイヤ数を決定するように構成される。
【００１１】
ある実施形態において、ＲＡＴレイヤ決定モジュールは、前記設定情報において、前記ＲＡＴケーパビリティ情報の示すＲＡＴセットに合致するＲＡＴセットを探すことにより前記設定情報を用いるよう構成される。
【００１２】
他の観点によれば、本発明は、ＵＥの無線アクセス技術ケーパビリティをネットワークノードに通知するための前記ＵＥによって実行される方法を提供する。ある実施形態においては、この方法は、（１）前記ネットワークノードにケーパビリティ情報を送信するかを決定し、（２）前記ネットワークノードにケーパビリティ情報を送信するという前記決定に応じ、ケーパビリティ情報（２０２）を前記ネットワークノードに送信し、送信される前記ケーパビリティ情報は：（ａ）前記ＵＥによりサポートされる複数のＲＡＴを示すＲＡＴケーパビリティ情報を含み（前記複数のＲＡＴの各々は前記ＵＥが観測を指示され得る所定の最大レイヤ数が関連付けられ）、（ｂ）前記ＵＥが前記複数のＲＡＴに含まれる少なくとも１のＲＡＴに関しての所定の最大レイヤ数よりも少ない観測を行うように構成されたことを示すＲＡＴレイヤケーパビリティ情報を含む。
【００１３】
ある実施形態において前記方法は、前記ネットワークノードからＲＡＴレイヤ観測情報を受信し、前記ＲＡＴレイヤ観測情報は前記ＵＥが特定のＲＡＴにおいて観測すべきレイヤ数を示す情報からなり、前記ＲＡＴレイヤ観測情報の受信に応じ、前記特定のＲＡＴにおいて前記レイヤ数を上回らずに観測し、前記レイヤ数は前記ＲＡＴに関しての所定の最大レイヤ数より小さい。
【００１４】
ある実施形態において、前記特定のＲＡＴにおいて前記レイヤを観測するステップは、前記レイヤに属する新たなセルを識別することを含む。ある実施形態において、前記特定のＲＡＴにおいて前記レイヤを観測するステップは：前記識別された新たなセルで１または２以上のダウンリンク測定を行い；前記識別された新たなセルに関しての１または２以上のイベントを評価することをさらに含む。
【００１５】
他の観点によれば、本発明は改良されたＵＥを提供する。ある実施形態において、この改良されたＵＥは：（１）ネットワークノードから送信された情報を受信する受信部と；（２）ケーパビリティ情報を含むメッセージ（２０２）を生成するケーパビリティ情報モジュール（９０８）を有し、前記ケーパビリティ情報は、（ａ）前記ＵＥによりサポートされる複数のＲＡＴを示すＲＡＴケーパビリティ情報を含み、（ｂ）前記ＵＥが前記複数のＲＡＴに含まれる少なくとも１のＲＡＴに関しての所定の最大レイヤ数よりも少ない観測を行うように構成されたことを示すＲＡＴレイヤケーパビリティ情報を含み；（３）前記ネットワークノードに前記メッセージを送信する送信部を有する。
【００１６】
他の観点によれば、本発明はマルチ形式ＵＥの製造方法を提供する。ある実施形態において、この方法は以下のステップを含む：（１）複数のＲＡＴをサポートするように前記ＵＥを構成し、前記複数のＲＡＴの各々は、ネットワークノードによって前記ＵＥが同時観測を指示され得る所定の最大レイヤ数と関連付けられ；（２）前記ネットワークノードにケーパビリティ情報を送信するように前記ＵＥを構成し、前記ケーパビリティ情報は前記ＵＥによってサポートされる複数のＲＡＴを示すＲＡＴケーパビリティ情報を含み；（３）前記複数のＲＡＴのうちの１のＲＡＴに関してＸレイヤを上回らずに同時観測するようにＵＥを構成し、ここでＸは前記ＲＡＴに関しての所定の最大レイヤ数よりも小さい。ある実施形態において、前記ＵＥは、レイヤであって、前記レイヤに属する新たなセルを識別することにより前記レイヤを観測し、前記識別された新たなセルで１または２以上のダウンリンク測定を行い、および／または、前記識別された新たなセルに関しての１または２以上のイベントを評価するように構成される。
【００１７】
上記および他の観点および実施形態は、添付の図面を参照して以下に説明される。
【図面の簡単な説明】
【００１８】
ここに援用され本願明細書の一部を形成する添付の図面は、本発明の種々の実施形態を示し、詳細な説明と併せて、本発明の本質を説明する役割を有し、当業者による本発明の製造および利用を可能とする。図面において、同種の参照符号は同一または機能的に類似する要素を示す。
【００１９】
【図１】図１は、移動無線通信システムを示す。
【００２０】
【図２】図２は、本発明の実施形態による情報および指示を通信するＵＥおよび基地局を示す。
【００２１】
【図３】図３Ａ−３Ｅは、本発明の種々の実施形態によるケーパビリティメッセージのフォーマットを示す。
【００２２】
【図４】図４は、本発明の実施形態による基地局または他のノードにより実行される方法を示す。
【００２３】
【図５】図５は、本発明の実施形態による基地局または他のノードにより実行される方法を示す。
【００２４】
【図６】図６は、本発明の実施形態によるＵＥにより実行される方法を示す。
【００２５】
【図７】図７は、本発明の実施形態によるＵＥの製造方法を示す。
【００２６】
【図８】図８は、本発明の実施形態による基地局を示す。
【００２７】
【図９】図９は、本発明の実施形態によるＵＥを示す。
【発明を実施するための形態】
【００２８】
図１に示したように、例示的な移動無線通信システム１００は、ｅＮｏｄｅＢ１０４、ＮｏｄｅＢ１０６、ｅＮｏｄｅＢ１０８、およびＢＴＳ（Ｂａｓｅ  Ｔｒａｎｓｃｅｉｖｅｒ  Ｓｔａｔｉｏｎ）１１０などの複数の無線基地局を含む。無線基地局は、各々以下のようなＲＡＴのうちの１または２以上をサポートしてもよい：
E-UTRA  Frequency  Division  Duplexing  (FDD),
E-UTRA  Time  Division  Duplexing  (TDD),
UTRA  FDD,
UTRA  TDD,
CDMA2000  High  Rate  Packet  Data  (HRPD),
CDMA2000  1x  Radio  Transmission  Technology  (RTT),
and  
GSM。
また、システム１００は、ＵＥ（Ｕｓｅｒ  Ｅｑｕｉｐｍｅｎｔ）のような複数の移動端末を含んでもよい。
【００２９】
ＵＥ１０２は、移動無線通信システム１００のセル間を移動することができる。一般に、ＵＥモビリティは、アイドルモードモビリティ（ＵＥセル再選択）および接続モードモビリティ（進行中のセルのハンドオーバに関する）の双方を表わす。セル再選択は、通常サービングセルの介入を要することのないＵＥの自律的機能であるが、あるＵＥの動作はブロードキャストシステムパラメータおよびパフォーマンススペシフィケーション（Ｐｅｒｆｏｒｍａｎｃｅ  ｓｐｅｃｉｆｉｃａｔｉｏｎ）により制御され得る。一方、接続モードモビリティは、完全に明示的なＵＥ固有コマンドおよびパフォーマンススペシフィケーションにより制御される。
【００３０】
モビリティ決定はダウンリンク測定結果に基づく。ダウンリンク測定結果は、イントラ周波数（ｉｎｔｒａ  ｆｒｅｑｕｅｎｃｙ：同一周波数）、インター周波数（ＩＦ：Ｉｎｔｅｒ  Ｆｒｅｑｕｅｎｃｙ、異周波数）およびＩＲＡＴ（Ｉｎｔｅｒ  ＲＡＴ、異ＲＡＴ）測定結果を含む。これらの測定結果は、新たな或いは未知のセルの識別子、識別されるセルの測定信号強度、識別されるセルの測定信号品質などを含む。１または２以上の測定結果を用い、ＵＥは、その測定結果、および／または、キャリア周波数（レイヤ）において閾値を上回る最も強いターゲットセルの信号強度のような１または２以上のイベントなどを報告してもよい。ネットワークは、報告された測定結果および／またはイベントをモビリティアクション（例えば、ＵＥへのハンドオーバコマンドの送信）を起こすために用いる。ＬＴＥにおいてＵＥは、接続モードインター周波数およびＩＲＡＴ測定を、ダウンリンク送信の無いタイムスロットにおいて現れる周期的ギャップで行う。これらのタイムスロットは、ＵＥによるインター周波数セルまたは他のＲＡＴの測定を可能とする目的のために存在する。一つのギャップパターンは、多様なインター周波数およびＲＡＴレイヤの全ての測定に関して共有されてもよい。
【００３１】
背景技術の欄において上述したように、従来のＵＥは、多様なイントラ周波数、インター周波数、およびＩＲＡＴモビリティシナリオをサポートするために、多数の分散されたレイヤの測定の実行および報告が求められる。
【００３２】
ＬＴＥにおいて、モビリティ決定のために定義されるダウンリンク品質測定は、ＲＳＲＰ（Ｒｅｆｅｒｅｎｃｅ  Ｓｙｍｂｏｌ  Ｒｅｃｅｉｖｅｄ  Ｐｏｗｅｒ）およびＲＳＲＱ（Ｒｅｆｅｒｅｎｃｅ  Ｓｙｍｂｏｌ  Ｒｅｃｅｉｖｅｄ  Ｑｕａｌｉｔｙ）を含む。これらの測定は、レファレンスシンボルにおいてセルレベル単位でＵＥによって行われる。
【００３３】
ＵＴＲＡＮ  ＦＤＤ（ＷＣＤＭＡ）において、モビリティ判断のためのダウンリンク品質測定は、共通パイロットチャネル（ＣＰＩＣＨ）ＲＳＣＰ、ＣＰＩＣＨ  Ｅｃ／Ｎｏ、およびＵＴＲＡキャリアＲＳＳＩ［１］。前方から２つの上記測定はセルレベル単位でＵＥによって行われる。ＵＴＲＡキャリアＲＳＳＩは全ての周波数キャリアで行われる。ｃｄｍａ２０００  １ｘ  ＲＴＴおよびＨＲＰＤシステムにおいて、ｃｄｍａ２０００パイロット強度およびＨＲＰＤパイロット強度の各々はモビリティ決定のために測定および利用される。ＧＳＭにおいて、ＧＳＭキャリアＲＳＳＩは全てのタイプのモビリティ決定のために利用される。
【００３４】
上述したＲＡＴにおいては、ＧＳＭを例外として、各セルに１の周波数キャリアが割り当てられる。ＧＳＭにおいては、周波数バンドは周波数キャリアに再分割され、各セルは利用可能な周波数キャリアの総数のサブセットを提供する。
【００３５】
良好なモビリティパフォーマンスを保証するために、Ｅ−ＵＴＲＡＮ仕様書は、測定パフォーマンスおよびダウンリンク測定の報告に関する最低限のＵＥ要件を提供する。あるアクティブモード（接続モード）要件は、未知のセルの対応する同期およびレファレンス信号の所定の受信レベルに関する識別遅延である。これは、未知のセルを探索し、その物理層アイデンティティをデコードするために求められる時間である。一セルが識別されると、ＵＥはそれを継続的に測定および評価する。他のアクティブモード要件は、ＵＥがＣＰＩＣＨ測定結果を報告すると考えられる識別されたセルの最低数である。他の要件は、絶対的および相対的精度、および、報告されたセルの規定の測定精度が満たされる測定周期を含む。レイヤの観測（ｍｏｎｉｔｏｒ）は、セル識別および／または測定プロセスを表わす一般的な用語である。このため、いくつかの実施形態でレイヤの観測が意味するのは、ＵＥがレイヤに属するセルを識別し、識別された新たなセルで１または２以上のダウンリンク測定を行い、かつ／または、１または２以上の識別された新たなセルに関連する１または２以上のイベントを評価することである。
【００３６】
最低限のレイヤ観測要件は、Ｅ−ＵＴＲＡイントラ周波数ＴＤＤ／ＦＤＤ、Ｅ−ＵＴＲＡインター周波数ＦＤＤ／ＴＤＤ、およびＩＲＡＴ（ＵＴＲＡ  ＦＤＤ／ＴＤＤ、ＧＳＭ、ＨＲＰＤおよびｃｄｍａ２０００  １ｘ  ＲＴＴ）に関して別々に規定される。特に、ＵＥは、ＲＡＴごとに複数のキャリア周波数を測定することが求められる。さらに、ＵＥは、ＲＡＴごとおよびキャリア周波数ごとに所定数のセルを測定できなければならない。例えば、ＭをＵＥによりサポートされるＲＡＴ数とし、ＫをＵＥが測定可能であるべきＲＡＴごとおよびキャリア周波数ごとに求められるセル数とし、ＮをＵＥによってサポートされるＲＡＴごとに求められるキャリア周波数とする。この状況において、ネットワークは、ＵＥに同時に全部でＭ×Ｎ×Ｎのセルを測定することを理論上指示することができる。
【００３７】
簡単および一貫性のため、本開示はキャリア周波数をレイヤとして表現する。ＲＡＴごとのレイヤ観測に関するＬＴＥ要件は：
3  E-UTRA  FDD  layers  (for  IF  measurements),
3  E-UTRA  TDD  layers  (for  IF  measurements),
3  UTRA  FDD  layers  (for  RAT  measurements),
3  UTRA  TDD  layers  (for  RAT  measurements),
3  HRPD  carriers,
3  cdma2000  1x  carriers,  および
1  GSM  layer  (corresponding  to  32  GSM  carriers).
を含む。
【００３８】
以上のように、全て或いは十分に大きな数のＲＡＴをサポートできるＵＥは、多数のパラレル測定の実行が求められるであろう。最悪の場合、一つのＧＳＭレイヤを含むレイヤの総数は、１９であり、途方もない数である。
【００３９】
Ｅ−ＵＴＲＡインター周波数およびＲＡＴの全ての組合せが１のオペレータによって１の地理的エリアに配備されることは見込めないので、ＵＥは、一度にＩＦ／ＲＡＴレイヤのサブセットのみを観測することが要求されると思われる。同様に、多数のＵＥは、典型的なシナリオに対応するレイヤの組合せをサポートできるようになるだろう。例示的な配備シナリオは表１に記載される。
【表１】
2011530949.tif 000003
【００４０】
上記の表１に記載したシナリオから見とり得るように、多くのケースにおいて、ＵＥは同時に１０レイヤを超える観測を求められないだろう。しかし、シナリオ７および８のようないくつかのシナリオでは、ＵＥは１０レイヤを超える観測を求められる。
【００４１】
ＵＥによりサポートされるＲＡＴの数はＵＥのケーパビリティであるので、市場には多様なケーパビリティを有するＵＥが存在するであろう。ＵＥ製造者は、典型的な配備シナリオおよび市場ニーズに従ってＵＥを製造するだろう。それにしても、より多数のレイヤを観測および報告するためのより大きな無線、ストレージ、および処理リソースがＵＥに求められるであろうという理由でＵＥ製造者がより多くのＲＡＴをサポートできるＵＥを製造することが妨げられるべきではなく、むしろ、ＵＥの複雑性とコストを削減するために、ＵＥは観測するレイヤ数の何かしらの制御が可能であるべきである。このような制御は、ＲＡＴごとのレイヤ観測の最大数を緩和もたらし得て、また、一つの場所において全てのＩＦとＲＡＴの組合せは利用されないことが予想されるのでネットワークに受け入れられるべきである。そして、全ての測定に求められるのは通常１度でないので、これは、ＵＥに測定を行うための時間を実質的に無限に費やすことを要求しかねない。
【００４２】
ＵＥは、全ての状況を緩和することを必要としないかもしれない。例えば、表１のシナリオ１〜５は、多様なＲＡＴ（１つのＧＳＭレイヤを含む）でＵＥが少なくとも１０の異なるレイヤを処理できるべきであることを示している。１０のレイヤ（または他の閾値）は、一部のＵＥ構造での観測のために管理可能なレイヤ数で有り得る。このため、１０レイヤを超えるサポートを要求され得るマルチＲＡＴ＿ＵＥは、標準化された値（ｓｔａｎｄａｒｄｉｚｅｄ  ｖａｌｕｅｓ）より小さい数のレイヤの実行が許容されるべきである。この場合、ネットワークは適用される削減を知らされる必要がある。ネットワークは、ＵＥがケーパビリティおよびキャパシティを有するレイヤおよびセルの測定をＵＥに指示可能にするために、ＵＥモビリティ測定ケーパビリティに関する情報を有する必要がある。
【００４３】
したがって、本発明の種々の実施形態は、ＵＥ１０２による報告およびレイヤ観測要件に応じたＵＥ１０２への指示の多様な手段を提供する。本発明の実施形態により、ＵＥ１０２は、図２に示したようにケーパビリティ情報２０２をｅＮｏｄｅＢ１０４に送信する。ｅＮｏｄｅＢ１０４は、レイヤ観測要件を決定し、レイヤ観測指示２０４を送信する。
【００４４】
図３Ａに示したように、本発明の例示的な実施形態においては、ケーパビリティ情報２０２は、サポートされるＲＡＴリスト３０１から構成される。この実施形態によれば、サポートされるＲＡＴリスト３０１は、表２に示したようなレイヤ観測要件の緩和のための所定のシナリオに対応してもよい。この実施形態のある観点では、整列されたビットマップ中のビットが、所定のＲＡＴに関するＵＥサポート（または、サポートの欠如）を表わすことができる。この実施形態の当該観点に従い、ＵＥは所定のシナリオの一つに対応する情報を基地局に送信する。図３Ａに示した例では、ケーパビリティ情報２０２は、ＵＥ１０２がＬＴＥモビリティ仕様書において示されるＩＦ／ＲＡＴの７つ全てを有するシナリオをサポートすることを示す。このようなマルチＲＡＴ＿ＵＥは、例えば以下の表２中のシナリオ９に示したように、レイヤ緩和を実行してもよい。
【表２】
2011530949.tif 000004
【００４５】
ＲＡＴごとのレイヤ観測最大数のセットを事前に定義しておくことの１つのアドバンテージは、ＵＥが、ＵＥのケーパビリティをＵＥの対応可能なシナリオで表現することによりネットワークに通知できることである。表２のシナリオ１〜６は表１のシナリオ１〜６に対応することに留意されたい。しかし、シナリオ７および８は、表１のシナリオ７および８と比較してＵＥケーパビリティの緩和をもたらす。シナリオ９は、ＲＡＴごとのＬＴＥ標準数よりも削減された観測レイヤ数ではあるが、全てのＲＡＴレイヤがサポートされるケースを表わしている。
【００４６】
図３Ｂに示した他の実施形態では、ケーパビリティ情報２０２は、ＵＥ１０２によりサポートされるＲＡＴリスト３０２および対応するレイヤ数リスト３０３からなる。この実施形態においては、ＵＥ１０２は、いくつのレイヤをそれがＲＡＴごとにサポートするかを報告する。この実施形態のある観点によれば、ケーパビリティ情報２０２は、整列されたレイヤ数リスト３０３のみからなってもよく、この場合、リスト中の位置がＲＡＴに対応する。
【００４７】
ある実施形態によれば、規格において標準化されるように、ＵＥ１０２によりサポートされるＲＡＴに関して測定されるレイヤの標準化総数が閾値Ｔ（例えば、１０レイヤ）を上回るであろう場合、ＵＥ１０２は、ＲＡＴごとにＳ−Ｄレイヤを実行してもよく、ここでＳ−Ｄは閾値Ｔを下回らず、Ｓは例えばＬＴＥ仕様書において定義されるフルケーパビリティに対応するＲＡＴごとの総レイヤ数であり、Ｄは所定数（例えば、１）である。この実施形態では、事前定義された値がないので、削減が適用される選択されたＲＡＴはＵＥ実装に依存する。このため、ＵＥ１０２は、サポートする各ＲＡＴに関して、サポートするレイヤ数を報告する。図３Ｂに示した例では、ＵＥケーパビリティ情報２０２は、ＵＥ１０２が３＿Ｅ−ＵＴＲＡ＿ＦＤＤレイヤ、２＿Ｅ−ＵＴＲＡ＿ＴＤＤレイヤ、２＿ＵＴＲＡ＿ＦＤＤレイヤ、２＿ＵＴＲＡ＿ＴＤＤレイヤ、および１＿ＧＳＭレイヤの観測をサポートすることを示す。
【００４８】
他の実施形態では、図３Ｃに示したように、ケーパビリティ情報２０２は、サポートされるＲＡＴリスト３０４および対応するレイヤケーパビリティ情報３０５からなる。この実施形態では、ＵＥ１０２は、あるＲＡＴに関するＵＥ１０２のレイヤケーパビリティを、そのＲＡＴに関してサポートされるレイヤ数がそれに対応する標準数（すなわち、例えば3GPP  TS  36.133,   “Evolved  Universal  Terrestrial  Radio  Acess  (EUTRA);   Requirement  for  support  of  radio  resource  management”のような規格において定義される要件）より小さい場合に限り明示的に報告する。このため、特定のＲＡＴに関し、ＵＥ１０２がそのＲＡＴについてのレイヤケーパビリティを明示的に報告しない場合、それは、ＵＥ１０２がそのＲＡＴについて標準化されたレイヤ数を完全にサポートできることを意味する。図３Ｃに示した例では、ケーパビリティ情報２０２は、ＵＥ１０２が２＿Ｅ−ＵＴＲＡ＿ＴＤＤレイヤ、２＿ＵＴＲＡ＿ＦＤＤレイヤ、２＿ＵＴＲＡ＿ＴＤＤレイヤ、および１＿ＧＳＭレイヤの観測をサポートすることを示す。さらに、このケーパビリティ情報は、ＵＥ１０２がＥ−ＵＴＲＡ＿ＦＤＤをサポートでき、このＩＦ／ＲＡＴにおいて規格に標準化されたレイヤ数の観測をサポートすることを示す。
【００４９】
他の実施形態では、図３Ｄに示したように、ケーパビリティ情報２０２は、ＲＡＴリスト３０６および対応するレイヤケーパビリティ情報３０７からなる。この実施形態において、ＵＥ１０２は、ＲＡＴごとに完全なレイヤ観測ケーパビリティをサポートするか否か（すなわち、インター周波数またはＲＡＴシナリオごとに１ビットの情報）を報告する。この実施形態では、ネットワークは各ＲＡＴに関してある最低数のレイヤを指示することができる。このため、完全なケーパビリティをサポートしないＵＥは最低値となる。図３Ｄに示した例では、ケーパビリティ情報２０２は、ＵＥ１０２がＥ−ＵＴＲＡ＿ＦＤＤ、Ｅ−ＵＴＲＡ＿ＴＤＤ、ＵＴＲＡ＿ＦＤＤ、ＵＴＲＡ＿ＴＤＤ、およびＧＳＭレイヤの観測をサポートすることを示す。また、このケーパビリティ情報は、ＵＥ１０２が、Ｅ−ＵＴＲＡ＿ＦＤＤおよびＧＳＭに関して標準レイヤ数の観測をサポートし、Ｅ−ＵＴＲＡ＿ＴＤＤ、ＵＴＲＡ＿ＦＤＤ、ＵＴＲＡ＿ＴＤＤに関して削減されたレイヤのみをサポートすることを示す。これらのＲＡＴに関し、ＵＥ１０２が観測を指示され得るレイヤ数は、標準化された数から所定量（例えば、１）減じられる。
【００５０】
他の実施形態では、図３Ｅに示したように、ケーパビリティ情報２０２は、リスト３０８および指標ビット３０９からなる。リスト３０８は、ＵＥ１０２によりどのＲＡＴがサポートされるかを示し、指標ビット３０９は、ＵＥ１０２がリストアップされた１または２以上のＲＡＴに関して削減されたレイヤ数をサポートするか否かを示す。この実施形態では、ネットワークは各ＲＡＴに関してある最低数のレイヤを指示することができる。このため、完全なケーパビリティをサポートしないＵＥは最低値となる。すなわち、ビット３０９が０にセットされる場合、これはＵＥが標準レイヤ数の観測をサポートできず、ＵＥが各ＲＡＴについて最低レイヤ数のみに対応できるとネットワークが推測することを示す。
【００５１】
図３Ａ〜３Ｅに示した実施形態では、ＧＳＭ＿ＲＡＴについてのＵＥケーパビリティは、ＵＥ１０２による明示的な報告を無しに、３２ＧＳＭキャリアに対応する１レイヤとみなされる。
【００５２】
ここで図４を参照すると、図４は、基地局（例えば、基地局１１０、１０４、１０８）または他のノードによって実行される、本発明の実施形態による処理４００を示すフローチャートである。処理４００は、基地局がＵＥ１０２からＲＡＴケーパビリティ情報２０２を受信する（例えば、基地局はメッセージ３０１、３０２、３０４、３０６または３０８を受信する）ステップ４０２から始まる。ステップ４０４において、基地局は、受信されたケーパビリティ情報を用いて、ＵＥ１０２に観測を指示するＲＡＴに関してのレイヤ数Ｌを決定する。Ｌは、ＲＡＴに関しての標準規定の最大レイヤ数Ｓよりも小さくてもよい。ステップ４０６において、基地局はレイヤ観測指示をＵＥ１０２に送信し、ＵＥ１０２にＬのＲＡＴレイヤの観測を指示する。好ましくは、ステップ４０４は、ＲＡＴケーパビリティ情報において示されるようにＵＥがサポートする各ＲＡＴについて行われる。
【００５３】
ここで図５を参照すると、図５は、ステップ４０４を実行するための（すなわち、ＵＥに観測を指示するためのＲＡＴのレイヤ数を決定するための）ある実施形態による処理５００を示したフローチャートである。処理５００は、ＲＡＴシナリオセット（例えば、表２に示したシナリオテーブルを参照）を定義する設定情報を記憶するステップ５０２から始まる。すなわち、基地局は、複数のＲＡＴセット（すなわち、複数のＲＡＴシナリオ）の各々について、ＲＡＴセットに含まれる少なくとも１つのＲＡＴに数を関連付ける設定情報を記憶し、ここで、上記の数はＲＡＴに関連付けられるレイヤ数を表わす。例えば、設定情報によって定義される各ＲＡＴシナリオに関し、設定情報は、シナリオにおける各ＲＡＴについて、基地局がＵＥに観測を指示するそのＲＡＴのレイヤ数を識別する情報を含む。
【００５４】
ステップ５０４において、基地局は、ＲＡＴシナリオ（すなわち、ＵＥによってサポートされるＲＡＴセット）を示すＵＥのケーパビリティ情報３０１を取得する。
【００５５】
ステップ５０６において、基地局は、ＲＡＴシナリオセットに含まれる、ＵＥにより報告されたＲＡＴシナリオに合致（ｍａｔｃｈ）するＲＡＴシナリオの決定のために、設定情報にアクセスする。すなわち、基地局は、設定情報に含まれる、ステップ５０４において受信されたＲＡＴケーパビリティ情報により識別されるＲＡＴセットに合致するＲＡＴセットを探す。
【００５６】
ステップ５０８において、基地局は、ケーパビリティ情報３０１により識別される各ＲＡＴについて、ステップ５０６で決定されたシナリオに含まれるＲＡＴに関連付けられるレイヤ数Ｌを決定する。このレイヤ数Ｌは、基地局がＵＥに観測を指示するＲＡＴのレイヤ数を表わす。
【００５７】
他の実施形態において、基地局がＵＥに観測を指示するＲＡＴのレイヤ数Ｌを決定するステップは、シナリオテーブルを用いずに行われる。例えば、図３Ｂ〜Ｅを参照して上述したように、ＵＥは、ＵＥによりサポートされるＲＡＴの各々に関してＵＥレイヤ観測ケーパビリティを明示的または暗示的に示すケーパビリティ情報を基地局に送信する。このため、ＵＥに観測を指示するＲＡＴのレイヤ数Ｌについての決定は、少なくとも部分的にはＵＥが基地局に送信するケーパビリティ情報に基づく。
【００５８】
ここで図６を参照すると、図６は、ある実施形態に従ってＵＥ１０２によって行われ得る処理６００を示したフローチャートである。処理６００は、ＵＥ１０２が１または２以上のネットワークノード（例えば、図１に示した基地局）から情報を受信するステップ６０２から始まる。ステップ６０４において、ＵＥ１０２は、ネットワークノードにケーパビリティ情報を送信すべきかを決定する。
【００５９】
ステップ６０６において、ＵＥ１０２は、ネットワークノードにケーパビリティ情報を送信すべきかの決定に応じ、ネットワークノードにケーパビリティ情報を送信する。図３Ｂ〜３Ｅを参照して上述したように、ケーパビリティ情報は、ＵＥによりサポートされるＲＡＴセットを示すＲＡＴケーパビリティ情報と共に、ＵＥがそのセットに含まれる少なくとも１のＲＡＴに関連付けられた所定の最大レイヤ数を下回るレイヤを観測することを示すＲＡＴレイヤケーパビリティ情報を含んでもよい。例えば、図３Ｂに示したように、ＲＡＴレイヤケーパビリティ情報は、ＲＡＴセットに含まれる各ＲＡＴについて、ＲＡＴに関連付けられた数を含んでもよく、ここで、上記の数はＵＥが観測を指示されるＲＡＴの最大レイヤ数を表わす。また、図３Ｄに示したように、ＲＡＴレイヤケーパビリティ情報は、ＲＡＴセットに含まれる各ＲＡＴについて、１ビットの値を含んでもよく、ここで、１ビットの値は、規格書によって定義されたＲＡＴに関連付けられた所定の最大レイヤ数をＵＥが観測できるか否かを示す。
【００６０】
ステップ６０８において、ＵＥ１０２は、ネットワークノードからＲＡＴレイヤ観測情報を受信し、ここで、ＲＡＴレイヤ観測情報は、ＵＥが観測すべきあるＲＡＴに関してのレイヤ数を示す情報からなる。ステップ６１０において、ＲＡＴレイヤ観測情報の受信に応じ、ＵＥ１０２は当該ＲＡＴに関してのＸレイヤを上回らずに観測し、ここでＸは、当該ＲＡＴに関連付けられた所定の最大レイヤ数よりも小さい。
【００６１】
ここで図７を参照すると、図７は、ある実施形態に従ってＵＥ１０２を製造するための処理７００を示したフローチャートである。処理７００は、ＵＥ１０２がマルチＲＡＴをサポートするように構成されるステップ７０２から始まってもよい。ステップ７０４において、ＵＥ１０２は、ネットワークノードにＲＡＴレイヤ観測ケーパビリティ情報２０２を送信するように構成される。例えば、ＵＥ１０２は図３Ｂ〜３Ｅを参照して上述したケーパビリティ情報を送信するように構成されてもよい。ステップ７０６において、ＵＥ１０２は、あるＲＡＴにおいて、規格書に定義された当該ＲＡＴにおける所定の最大レイヤ数よりも少ないレイヤを観測するように構成される。
【００６２】
ここで図８を参照すると、図８は、本発明のある実施形態による基地局１０６の機能ブロック図である。図示したように、基地局１０６は、データ処理システム８０２（例えば、１または２以上のマイクロプロセッサ）、データストレージシステム８０６（例えば、１または２以上の不揮発性ストレージデバイス）、およびストレージシステム８０６に記憶されたコンピュータソフトウェア８０８を備える。また、設定パラメータ８１０（例えば、上記のシナリオテーブル）がストレージシステム８０６に記憶されてもよい。基地局１０６は、例えばコアネットワークノード８０８にデータを送信するための、またはデータを受信するための送受信（Ｔｘ／Ｒｘ）回路８０４も備える。ソフトウェア８０８は、プロセッサ８０２がソフトウェア８０８を実行した場合に基地局１０６が上述したステップ（例えば、図４および図５に示したフローチャートを参照して上述したステップ）を実行するように構成される。例えば、ソフトウェア８０８は、（１）ＵＥに観測を指示するあるＲＡＴに関してのレイヤ数を決定するためのコンピュータ命令（例えば、ＲＡＴレイヤ決定モジュール）を含んでもよく、ここで、レイヤの決定数は、（ａ）当該ＲＡＴに関連付けられた所定の最大レイヤ数に等しくてもよいし、または、（ｂ）当該ＲＡＴに関連付けられた所定の最大レイヤ数よりも小さくてもよい。ＲＡＴレイヤ決定モジュールは、上記の決定を少なくとも一部はＵＥから受信されたケーパビリティ情報に基づいて行うように構成されてもよい。
【００６３】
ここで図８を参照すると、図８は、本発明のある実施形態による基地局１０６の機能ブロック図である。図示したように、基地局１０６は、データ処理システム８０２（例えば、１または２以上のマイクロプロセッサ）、データストレージシステム８０６（例えば、１または２以上の不揮発性ストレージデバイス）、およびストレージシステム８０６に記憶されたコンピュータソフトウェア８０８を備える。また、設定パラメータ８１０（例えば、上記のシナリオテーブル）がストレージシステム８０６に記憶されてもよい。基地局１０６は、例えばコアネットワークノード８０８にデータを送信するための、またはデータを受信するための送受信（Ｔｘ／Ｒｘ）回路８０４も備える。ソフトウェア８０８は、プロセッサ８０２がソフトウェア８０８を実行した場合に基地局１０６が上述したステップ（例えば、図４および図５に示したフローチャートを参照して上述したステップ）を実行するように構成される。例えば、ソフトウェア８０８は、（１）ＵＥに観測を指示するあるＲＡＴに関してのレイヤ数を決定するためのコンピュータ命令（例えば、ＲＡＴレイヤ決定モジュール）を含んでもよく、ここで、レイヤの決定数は、（ａ）当該ＲＡＴに関しての所定の最大レイヤ数に等しくてもよいし、または、（ｂ）当該ＲＡＴに関しての所定の最大レイヤ数よりも小さくてもよい。ＲＡＴレイヤ決定モジュールは、上記の決定を少なくとも一部はＵＥから受信されたケーパビリティ情報に基づいて行うように構成されてもよい。
【００６４】
ここで図９を参照すると、図９は、本発明のある実施形態によるＵＥ１０２の機能ブロック図である。図示したように、ＵＥ１０２は、データ処理システム９０２（例えば、１または２以上のマイクロプロセッサ）、データストレージシステム９０６（例えば、１または２以上の不揮発性ストレージデバイス）、およびストレージシステム９０６に記憶されたコンピュータソフトウェア９０８を備える。また、設定パラメータ９１０もストレージシステム９０６に記憶されてもよい。ＵＥ１０２は、基地局にデータを送信するためのおよびデータを受信するための送受信（Ｔｘ／Ｒｘ）回路９０４も備える。ソフトウェア９０８は、プロセッサ９０２がソフトウェア９０８を実行した場合にＵＥ１０２が上述したステップ（例えば、図６に示したフローチャートを参照して上述したステップ）を実行するように構成される。例えば、ソフトウェア９０８は、（１）ケーパビリティ情報からなるメッセージを生成するためのコンピュータ命令（例えば、ケーパビリティ情報モジュール）を有してもよい。ここで論じたように、ケーパビリティ情報は、（１）ＵＥによりサポートされる複数のＲＡＴを示すＲＡＴケーパビリティ情報（複数のＲＡＴの各々は、ネットワークノードからＵＥが観測を指示され得る所定の最大レイヤ数が関連付けられていてもよい。）、および、（２）ＵＥが、複数のＲＡＴの少なくとも１のＲＡＴに関連付けられた所定の最大レイヤ数よりも少ない観測をするように構成されたことを示すＲＡＴレイヤケーパビリティ情報、を含んでもよい。
【００６５】
前述の実施形態において、ケーパビリティ情報の報告は接続モードにおいて行われてもよいし、呼確立（ｃａｌｌ  ｓｅｔｕｐ）またはハンドオーバ後のいくつかのケースにおいて報告されてもよい。ある実施形態では、ケーパビリティ情報はＲＲＣシグナリングを介して報告される。アイドルモードにおいて、セル再選択はブロードキャストパラメータに基づく。このため、ネットワークは、それがサポートする全てのレイヤに関するパラメータをブロードキャストするだろう。しかし、ＵＥは自身のケーパビリティに従ったレイヤを観測する。
【００６６】
略語：
UE:                       User  Equipment
UTRAN:  UMTS  Terrestrial  Radio  Access  Network
LTE:                     Long  Term  Evolution
CDMA2000  1x  RTT:        CDMA2000  1x  Radio  Transmission  Technology
E-UTRAN:             Evolution  UMTS  Terrestrial  Radio  Access  Network
HRPD:                  CDMA2000  High  Rate  Packet  Data
IF:                        Inter  Frequency
IRAT:                    Inter  RAT
OFDM:   Orthogonal  Frequency  Division  Modulation
OFDMA: Orthogonal  Frequency  Division  Multiple  Access
WCDMA:              Wide  Band  Code  Division  Multiple  Access
RAT:                     Radio  Access  Technology
CPICH:   Common  Pilot  Channel
RSRP:                   Reference  Symbol  Received  Power
RSRQ:                  Reference  Symbol  Received  Quality
RSSI:                    Received  Signal  Strength  Indicator
RAT:                     Radio  Access  Technology
RRC:                     Radio  Resource  Control
【００６７】
以上、本発明による種々の実施形態を説明したが、それらは単なる例示の目的で示したものであり、限定でないことが理解されるべきである。このため、本発明の広さおよび範囲は上記のいかなる例示的な実施形態にも限定されることはない。
【００６８】
また、図面において示し、かつ、上述した処理は、ステップのシーケンスとして表現したが、これは単に説明の目的のためにしたものに過ぎない。さらに、あるステップが加えられてもよいし、あるステップが省かれてもよいし、ステップの順序が再配置されもよいし、いくつかのステップがパラレルに行われてもよいことも考えられる。
【図１】
2011530949.tif 000005
【図２】
2011530949.tif 000006
【図３Ａ】
2011530949.tif 000007
【図３Ｂ】
2011530949.tif 000008
【図３Ｃ】
2011530949.tif 000009
【図３Ｄ】
2011530949.tif 000010
【図３Ｅ】
2011530949.tif 000011
【図４】
2011530949.tif 000012
【図５】
2011530949.tif 000013
【図６】
2011530949.tif 000014
【図７】
2011530949.tif 000015
【図８】
2011530949.tif 000016
【図９】
2011530949.tif 000017
【手続補正書】
【提出日】平成23年2月15日(2011.2.15)
【手続補正１】
【補正対象書類名】特許請求の範囲
【補正対象項目名】全文
【補正方法】変更
【補正の内容】
【特許請求の範囲】
【請求項１】
基地局（１０４、１０６、１０８、１１０）によって行われる方法であって：
ＵＥ（１０２）から、前記ＵＥによりサポートされるＲＡＴセットを示すＲＡＴケーパビリティ情報（３０１、３０２、３０４、３０６、３０８）を含むケーパビリティ情報（２０２）を受信し、ここで、各ＲＡＴは前記ＵＥが観測を指示され得る所定の最大レイヤ数が関連付けられ、前記所定の最大レイヤ数は標準化された値であり、
前記ＲＡＴセットに含まれる少なくとも１のＲＡＴについて、
前記ＵＥに観測を指示する前記ＲＡＴに関してのレイヤ数を決定し、ここで、レイヤの決定数は前記ＲＡＴに関しての前記所定の最大レイヤ数より小さく、前記決定の少なくとも一部は、前記受信されたケーパビリティ情報の少なくとも一部に基づき、
前記決定のステップの後に、前記ＵＥにＲＡＴレイヤ観測情報（２０４）を送信し、ここで、前記ＲＡＴレイヤ観測情報は前記ＵＥが前記ＲＡＴにおいて観測すべき前記レイヤの決定数を示す、方法。
【請求項２】
複数のＲＡＴセットの各々について、前記セットに含まれる少なくとも１のＲＡＴに数を関連付ける設定情報（８１０）を記憶するステップをさらに含み、
前記数は前記ＲＡＴに関してのレイヤ数を示し、
前記決定のステップは、前記設定情報にアクセスし、前記設定情報を用いて、前記ＵＥに観測を指示する前記ＲＡＴに関してのレイヤ数を決定する、請求項１に記載の方法。
【請求項３】
前記設定情報を用いるステップは、前記設定情報において、前記ＲＡＴケーパビリティ情報の示すＲＡＴセットに合致するＲＡＴセットを探すことを含む、請求項２に記載の方法。
【請求項４】
前記ケーパビリティ情報は、前記ＵＥが前記ＲＡＴセットに含まれる少なくとも１のＲＡＴに関しての所定の最大レイヤ数よりも少ない観測を行うように構成されたことを示すＲＡＴレイヤケーパビリティ情報（３０３、３０５、３０７、３０９）をさらに含む、請求項１に記載の方法。
【請求項５】
基地局（１０４、１０６、１０８、１１０）であって：
ＵＥから、前記ＵＥによりサポートされるＲＡＴセットを示すＲＡＴケーパビリティ情報（３０１、３０２、３０４、３０６、３０８）を含むケーパビリティ情報（２０２）を受信する受信部（８０４）を有し、ここで、各ＲＡＴは前記ＵＥが観測を指示され得る所定の最大レイヤ数が関連付けられ、
ＵＥに観測を指示するあるＲＡＴに関してのレイヤ数を決定するＲＡＴレイヤ決定モジュール（８０８）を有し、ここで、前記レイヤの決定数は、（ａ）前記ＲＡＴに関しての所定の最大レイヤ数に等しい、または、（ｂ）当該ＲＡＴに関しての所定の最大レイヤ数よりも小さく、前記ＲＡＴレイヤ決定モジュールは、前記決定を少なくとも一部は前記受信されたケーパビリティ情報の少なくとも一部に基づいて行うように構成され、
前記ＵＥにＲＡＴレイヤ観測情報（２０４）を送信する送信部（８０４）を有し、ここで、前記ＲＡＴレイヤ観測情報は前記ＵＥが観測すべき前記ＲＡＴに関しての前記レイヤ数を示す、基地局。
【請求項６】
複数のＲＡＴセットの各々について、前記セットに含まれる少なくとも１のＲＡＴに数を関連付ける設定情報（８１０）を記憶するデータストレージデバイス（８０６）をさらに備え、
前記ＲＡＴレイヤ決定モジュールは、前記ＵＥに観測を指示する前記ＲＡＴに関してのレイヤ数を決定するために、前記設定情報にアクセスし、前記設定情報を用いることにより、前記レイヤ数を決定するように構成される、請求項５に記載の基地局。
【請求項７】
前記ＲＡＴレイヤ決定モジュールは、前記設定情報において、前記ＲＡＴケーパビリティ情報の示すＲＡＴセットに合致するＲＡＴセットを探すことにより前記設定情報を用いるよう構成される、請求項６に記載の基地局。
【請求項８】
前記ケーパビリティ情報は、前記ＵＥが前記複数のＲＡＴに含まれる少なくとも１のＲＡＴに関しての所定の最大レイヤ数よりも少ない観測を行うように構成されたことを示すＲＡＴレイヤケーパビリティ情報をさらに含む、請求項５に記載の基地局。
【請求項９】
ＵＥの無線アクセス技術ケーパビリティをネットワークノード（１０４、１０６、１０８、１１０）に通知するための前記ＵＥによって実行される方法であって：
前記ネットワークノードにケーパビリティ情報を送信するかを決定し、
前記ネットワークノードにケーパビリティ情報を送信するという前記決定に応じ、ケーパビリティ情報（２０２）を前記ネットワークノードに送信し、送信される前記ケーパビリティ情報は、前記ＵＥによりサポートされる複数のＲＡＴを示すＲＡＴケーパビリティ情報を含み、前記複数のＲＡＴの各々は前記ＵＥが観測を指示され得る所定の最大レイヤ数が関連付けられ、
前記ケーパビリティ情報は、前記ＵＥが前記複数のＲＡＴに含まれる少なくとも１のＲＡＴに関しての所定の最大レイヤ数よりも少ない観測を行うように構成されたことを示すＲＡＴレイヤケーパビリティ情報をさらに含むことを特徴とする、方法。
【請求項１０】
前記ＲＡＴレイヤケーパビリティ情報は、前記複数のＲＡＴに含まれる各ＲＡＴについて、前記ＲＡＴに関連付けられた数を含み、前記数は、最大レイヤ観測ケーパビリティを示す、請求項９に記載の方法。
【請求項１１】
前記ＲＡＴレイヤケーパビリティ情報は、前記複数のＲＡＴに含まれる少なくとも１のＲＡＴについて、前記ＲＡＴに関連付けられた数を含み、前記数は、最大レイヤ観測ケーパビリティを示し、前記ＲＡＴに関しての所定の最大数よりも小さい、請求項９に記載の方法。
【請求項１２】
前記ＲＡＴレイヤケーパビリティ情報は、前記複数のＲＡＴに含まれる各ＲＡＴについて１ビットを有し、前記ビットの値は、前記ＲＡＴに関しての所定の最大レイヤ数をＵＥが観測するように構成されたか否かを示す、請求項９に記載の方法。
【請求項１３】
前記ネットワークノードからＲＡＴレイヤ観測情報を受信し、前記ＲＡＴレイヤ観測情報は前記ＵＥが特定のＲＡＴにおいて観測すべきレイヤ数を示す情報からなり、
前記ＲＡＴレイヤ観測情報の受信に応じ、前記特定のＲＡＴにおいて前記レイヤ数を上回らずに観測し、前記レイヤ数は前記ＲＡＴに関しての所定の最大レイヤ数より小さい、請求項９〜１２のいずれか一項に記載の方法。
【請求項１４】
ＵＥ（１０２）であって：
ネットワークノード（１０４、１０６、１０８、１１０）から送信された情報を受信する受信部（９０４）と、
ケーパビリティ情報を含むメッセージ（２０２）を生成するケーパビリティ情報モジュール（９０８）を有し、前記ケーパビリティ情報は、前記ＵＥによりサポートされる複数のＲＡＴを示すＲＡＴケーパビリティ情報（３０１、３０２、３０４、３０６、３０８）を含み、前記複数のＲＡＴの各々は、前記ＵＥが前記ネットワークノードから観測を指示され得る所定の最大レイヤ数が関連付けられ、
前記ネットワークノードに前記メッセージを送信する送信部を有し、
前記ケーパビリティ情報は、前記ＵＥが前記複数のＲＡＴに含まれる少なくとも１のＲＡＴに関しての所定の最大レイヤ数よりも少ない観測を行うように構成されたことを示すＲＡＴレイヤケーパビリティ情報（３０３、３０５、３０７、３０９）をさらに含むことを特徴とする、ＵＥ。
【請求項１５】
前記ＲＡＴレイヤケーパビリティ情報は、前記複数のＲＡＴに含まれる各ＲＡＴについて、前記ＲＡＴに関連付けられた数を含み、前記数は、最大レイヤ観測ケーパビリティを示す、請求項１４に記載のＵＥ。
【請求項１６】
前記ＲＡＴレイヤケーパビリティ情報は、前記複数のＲＡＴに含まれる少なくとも１のＲＡＴについて、前記ＲＡＴに関連付けられた数を含み、前記数は、最大レイヤ観測ケーパビリティを示し、前記ＲＡＴに関しての所定の最大数よりも小さい、請求項１４に記載のＵＥ。
【請求項１７】
前記ＲＡＴレイヤケーパビリティ情報は、前記複数のＲＡＴに含まれる各ＲＡＴについて１ビットを有し、前記ビットの値は、前記ＲＡＴに関しての所定の最大レイヤ数をＵＥが観測するように構成されたか否かを示す、請求項１４に記載のＵＥ。
【請求項１８】
レイヤであって、前記レイヤに属する新たなセルを識別することにより前記レイヤを観測し、前記識別された新たなセルで１または２以上のダウンリンク測定を行い、および／または、前記識別された新たなセルに関しての１または２以上のイベントを評価するように構成された、請求項１４に記載のＵＥ。
【請求項１９】
マルチ形式（ｍｕｌｔｉ−ｍｏｄａｌ）ＵＥの製造方法であって：
複数のＲＡＴをサポートするように前記ＵＥを構成し、前記複数のＲＡＴの各々は、ネットワークノードによって前記ＵＥが同時観測を指示され得る所定の最大レイヤ数と関連付けられ；
前記ネットワークノードにケーパビリティ情報を送信するように前記ＵＥを構成し、前記ケーパビリティ情報は前記ＵＥによってサポートされる複数のＲＡＴを示すＲＡＴケーパビリティ情報を含み、
前記複数のＲＡＴのうちの１のＲＡＴに関してＸレイヤを上回らずに同時観測するようにＵＥを構成し、ここでＸは前記ＲＡＴに関しての所定の最大レイヤ数よりも小さい、方法。
【請求項２０】
前記ケーパビリティ情報は、前記ＵＥが前記複数のＲＡＴに含まれる少なくとも１のＲＡＴに関しての所定の最大レイヤ数よりも少ない観測を行うように構成されたことを示すＲＡＴレイヤケーパビリティ情報をさらに含む、請求項１９に記載の方法。
【国際調査報告】
2011530949.tif 000018
2011530949.tif 000019
2011530949.tif 000020